【事件の表示】
　特願２００３−５１４７９１「信号の受信を改善する方法，システム，および受信機」拒絶査定不服審判事件〔平成１５年　１月３０日国際公開，ＷＯ０３／０９５７８，平成１６年１２月　２日国内公表，特表２００４−５３６５２４〕について、次のとおり審決する。
【結　論】
　本件審判の請求は、成り立たない。
【理　由】
第１　手続の経緯・本願発明  
　 
　本願は，２００２年７月１７日（パリ条約による優先権主張，２００１年７月１９日，米国（ＵＳ））を国際出願日とする出願であって，平成１９年４月６日付けで拒絶査定がなされ，これに対して同年７月１３日に拒絶査定不服審判が請求されたものであり，その請求項１４に係る発明は，明細書及び図面の記載からみて，特許請求の範囲の請求項１４に記載された次のとおりのもの（以下「本願発明」という。） と認める。  
　 
「同期して符号化された主信号および補助信号の形式で送信される信号の受信を改善する受信機であって， 
　前記信号が，前記補助信号が前記主信号より先行する形式で時間的にずれていて， 
　前記主信号が高優先順位データおよび低優先順位データを含み，前記補助信号が高優先順位データを含んでおり， 
　前記信号の受信を改善する受信機が， 
　前記補助信号を記憶するバッファと， 
　前記主信号を再生する態様で前記主信号を処理する信号プロセッサと， 
前記処理済みの主信号中の任意の望ましくない変化を検出する検出器と 
　前記主信号の任意の望ましくない変化部分を，前記記憶した補助信号の前記高優先順位データの対応部分で置換する，前記検出器に接続された手段と， 
を含む，前記信号の受信を改善する受信機。」 
　 
　 
第２　刊行物に記載された発明  
　 
　原査定の拒絶の理由に引用された，本願の優先日前に頒布された特開２０００−７８１１６号公報（平成１２年３月１４日公開，以下「刊行物」という。）には，図面とともに以下のような記載がある。 
　 
（ア） 
「【００１８】 
【発明の実施の形態】以下，図面を参照して本発明の実施の形態を説明する。 
（Ａ）本発明の一実施形態の説明 
図４に本発明が適用されるＳバンド・モバイル・ディジタル衛星放送のシステム構成を示す。この図４に示す衛星放送システムは，コンパクト・ディスク並の音質をもつ音楽，画像，テキストデータ等のマルチメディア・ディジタル情報を，多チャネルで日本全国に放送し，車載または携帯の移動端末でパラボラアンテナなしで受信できるシステムである。すなわち，放送番組が放送局５０ａにそなえられたパラボラアンテナ５０ｂから放送衛星（又は通信衛星）５１に対して，Ｋｕ−バンド（１４〜１８ＧＨｚ帯）を用いて送信される（アップリンク）。そして，この放送衛星５１からＳ−バンド（２．６ＧＨｚ帯）を用いて放送電波が送信されるので（ダウンリンク），地上側の人間が持つ携帯受信端末５２や高速走行している自動車内の車載端末５３によって，パラボラアンテナなしでも，画像データ等の高品位データを受信することができる。また，ビルの陰等で衛星電波の届かない場所には，ギャップフィラー５４等の再送信設備を敷設して，不感地帯の問題を解消している。 
【００１９】図５は本発明の一実施形態にかかるディジタル放送用送信装置のブロック構成図であるが，この図５に示すディジタル放送用送信装置４０は，放送ディジタルデータを送信するもので，放送ディジタルデータを高品質信号として作成する高品質信号作成手段１と，放送ディジタルデータと同一の放送ディジタルデータを高品質信号よりも品質の低い少なくとも１種類の低品質信号として作成する低品質信号作成手段２と，高品質信号作成手段１で作成された高品質信号および低品質信号作成手段２で作成された低品質信号を時間をずらして送信する送信手段３とをそなえている。 
【００２０】また，送信手段３は，同一の放送ディジタルデータから作成された高品質信号を遅延させるとともに，他方の低品質信号はそのままにした時間ずれのある複数系統の信号を，データ多重して送信するものであって，遅延手段４，エンコード手段５ａ，５ｂ，多重化通信手段１０をそなえて構成されている。なお，この複数系統の信号とは，その高品質信号より低品質な複数の低品質信号を意味し，これらの複数の低品質信号は，１つの高品質信号から作成され，そして，それらがデータ多重されるのである。 
【００２１】ここで，遅延手段４は，高品質信号作成手段１の出力における一方の高品質信号を単位時間，例えば４フレーム時間分だけ遅延させて出力するものであり，各チャネルの送信時間間隔を瞬断時間以上にずらすことで，受信側において時間的にずらされた放送データのうちいずれかが受信され，中断することなく再生が行なえるようにする。 
【００２２】また，エンコード手段５ａは，遅延手段４で遅延を受けた高品質信号データを圧縮してコード化する。エンコード手段５ｂも同様に，低品質信号作成手段２から出力される少なくとも１種類の低品質信号データを圧縮してコード化する。この圧縮に関しては，例えば，国際規格化されているＭＰＥＧ−１，ＭＰＥＧ−２及び規格化作業中のＭＰＥＧ−４等のディジタル放送システムで使われる方式が採用されている。 
【００２３】さらに，多重化通信手段１０は，エンコード手段５ａの出力における高品質のデータとエンコード手段５ｂの出力における少なくとも１種類（実際は複数種類）の低品質のデータとを多重化して，エラー訂正符号を挿入し，その信号に変調を施して無線信号として送出するものであり，エンコード手段５ａから出力される高品質のデータ信号用チャネルＮ−ｃｈとエンコード手段５ｂから出力される少なくとも１種類の低品質のデータ信号群用チャネルＡ−ｃｈ（Ａ−ｃｈ；Ａ１−ｃｈ，Ａ２−ｃｈ，…，Ａｎ−ｃｈ）とを多重化するマルチプレクサ（多重化手段）６と，このマルチプレクサ６で多重化されたデータにインタリーブ処理を行ない，ビタビ符号やリードソロモン符号等のエラー訂正符号を挿入するエラー訂正符号挿入手段７と，このエラー訂正符号挿入手段７から出力される信号データを変調する変調手段８と，この変調手段８で変調された信号をアップコンバートするとともに，送信増幅する周波数変換増幅手段９と，送信増幅された変調信号を送信するパラボラアンテナ５０ｂとをそなえて構成されている。 
【００２４】これにより，放送番組のカメラ，マイク等で得られた素材データはまず，高品質信号作成手段１において，高品質信号として作成されフレーム単位に区切られた後，遅延手段４において，そのディジタルデータは，例えば４フレーム（以下，この遅延時間量を４フレームとして説明する）分だけ遅延を受け，他方，低品質信号作成手段２において，同一のディジタルデータから高品質信号よりも品質の低い少なくとも１種類の低品質信号が作成される。そして，エンコード手段５ａにおいて，遅延手段４で遅延を受けた高品質信号データは圧縮されてコード化される一方，エンコード手段５ｂにおいても，低品質信号作成手段２から出力される少なくとも１種類の低品質信号データは圧縮されてコード化される。 
【００２５】これらのディジタルデータはそれぞれ，多重化通信手段１０内にあるマルチプレクサ６で多重化され，エラー訂正符号挿入手段７において，この多重化されたデータ信号はそれぞれ，バースト誤りに対して強固となるよう符号処理がなされ，変調手段８において，この信号は変調され，周波数変換増幅手段９において，この変調手段８からの出力は，アップコンバートされるとともに，送信増幅され，パラボラアンテナ５０ｂから変調信号が送信されるのである。 
【００２６】次に，図６に本発明の一実施形態にかかるディジタル放送用受信装置のブロック構成を示す。この図６に示すディジタル放送用受信装置４１は，送信側において，放送ディジタルデータが高品質信号として作成されるとともに，放送ディジタルデータと同一の放送ディジタルデータが高品質信号よりも品質の低い少なくとも１種類の低品質信号として作成され，これらの高品質信号および低品質信号が時間をずらして送信されてきた場合に，これらの高品質信号および低品質信号を受信して再生しうるディジタル放送用受信再生装置として構成されており，このために，アンテナ１１ａ，周波数変換手段１１，復調手段１２，エラー訂正手段１３，分離手段１４，デコード手段１５ａ，１５ｂ，モード判定手段１６，受信再生手段１９をそなえて構成されている。 
【００２７】ここで，アンテナ１１ａは，変調信号を受信するものであり，周波数変換手段１１は，この受信信号をダウンコンバートするものであり，また，復調手段１２は，この周波数変換手段１１でダウンコンバートされた信号を復調するものである。そして，エラー訂正手段１３は，復調手段１２から出力された信号にエラー訂正を施すものであり，分離手段１４は，このエラー訂正手段１３から出力される信号をフレーム単位に区切って処理するとともに高品質のデータ信号用チャネルＮ−ｃｈ，低品質のデータ信号群用チャネルＡ−ｃｈ（Ａ１−ｃｈ，…，Ａｎ−ｃｈ）の複数のチャネルとしてデマルチプレクス（分離）して出力するものである。 
【００２８】また，デコード手段１５ａは，この分離手段１４で分離されたＮ−ｃｈのデータ信号について，圧縮されたコード化データのデコードを行なうものであり，デコード手段１５ｂは，分離手段１４で分離されたＡ−ｃｈ（Ａ１−ｃｈ，…，Ａｎ−ｃｈ）のデータ信号群について，圧縮されたコード化データのデコードを行なうものである。 
【００２９】さらに，受信再生手段１９は，正常受信モードであるか放送障害モードであるかを判定するモード判定手段１６と，このモード判定手段１６で正常受信モードであると判定されると，高品質信号を受信して再生する一方，モード判定手段１６で放送障害モードであると判定されると，低品質信号を受信して再生するものであって，遅延手段１７と選択手段１８とをそなえて構成されている。 
【００３０】この遅延手段１７は，デコードされた信号のうち低品質信号を，単位時間，例えば４フレーム時間だけ遅延させるものであり，また選択手段１８は，モード判定手段１６と連関して，正常受信モードのときはＮ−ｃｈの高品質信号を選択して出力し，放送障害モードのときは遅延されたＡ−ｃｈ（Ａ１−ｃｈ，…，Ａｎ−ｃｈ）の低品質信号群を選択して出力するものである。 
【００３１】これにより，放送局５０ａにあるディジタル放送用送信装置４０から放送衛星５１を経由して，コード化された変調信号は，フレーム単位で送られてくる。そして，ディジタル放送用受信装置４１内のアンテナ１１ａで受信され，周波数変換手段１１において，その受信信号はダウンコンバートされ，復調手段１２において，この周波数変換手段１１でダウンコンバートされた信号は復調され，エラー訂正手段１３において，復調手段１２から出力される信号はエラー訂正を施され，分離手段１４において，このエラー訂正手段１３にて誤り訂正された信号はフレーム単位に区切られて高品質のデータ信号用チャネルＮ−ｃｈ，複数の低品質のデータ信号群用チャネルＡ−ｃｈ（Ａ１−ｃｈ，…，Ａｎ−ｃｈ）の複数のチャネルにデマルチプレクスされて出力される。そして，デコード手段１５ａにおいて，この分離手段１４で分離されたＮ−ｃｈの信号データの圧縮符号がデコードされ，また，デコード手段１５ｂにおいても，この分離手段１４で分離されたＡ−ｃｈ（Ａ１−ｃｈ，…，Ａｎ−ｃｈ）の信号データ群の圧縮符号がそれぞれデコードされる。 
【００３２】さらに，モード判定手段１６において，エラー訂正手段１３にて訂正不可でかつデコード手段１５ａあるいは１５ｂでのデコードが不可であった場合は，受信モードは放送障害モードと判定され，また，それ以外の場合は正常モードと判定され，受信再生手段１９内の選択手段１８においては，このモード判定手段１６と連関して，高品質のデータ信号用チャネルＮ−ｃｈと，複数の低品質のデータ信号群用チャネルＡ−ｃｈ（Ａ１−ｃｈ，…，Ａｎ−ｃｈ）との選択切替が行なわれる。すなわち，正常モードの場合は，デコード手段１５ａからの高品質信号が選択されて再生信号が出力され，放送障害モードの場合は，デコード手段１５ｂからの低品質信号が，遅延手段１７において４フレーム分だけ遅延を受けてから選択されて再生信号が出力される。そして，これらの再生信号から映像信号と音声信号とが分離されて，映像信号は映像表示回路（図示せず）に入力される一方，音声信号は音声増幅回路（図示せず）に入力されて，適当な表示装置及びスピーカから放送内容が人に届くのである。」（段落【００１８】〜【００３２】） 
　 
（イ） 
「【００３７】以下，本実施形態の時間ダイバーシティ方式を実行する態様を図１（ａ）及び図３を用いて説明するが，本発明と対比するために通常の時間ダイバーシティ方式についても図２（ａ）を用いて説明を行なう。図１（ａ）は，本発明を適用される時間ダイバーシティ方式を用いたディジタル放送用送受信システムの簡略図であるが，この図１（ａ）に示すディジタル放送用送信装置３０は，原信号を高品質信号と低品質信号群との複数系統に分けて，高品質信号をＮ−ｃｈで送出するとともに低品質信号群をＡ−ｃｈ（Ａ１−ｃｈ，…，Ａｎ−ｃｈ）で送出するものであり，原信号作成手段３０ａ，４ＵＴ遅延手段３０ｂ，情報量削減手段３０ｃ，送信手段３０ｄをそなえて構成されている。 
【００３８】これらのＮ−ｃｈとＡ−ｃｈ（Ａ１−ｃｈ，…，Ａｎ−ｃｈ）を使った複数の放送データを再送する方法は，時間分割したフレーム送信形式をとり，同一周波数で時間をずらして複数回放送データを送出するようにし，チャネルとは，その放送の際各々に割り当てられた時間パケットを表している。ここで，原信号作成手段３０ａは，高品質信号を作成するものであり，上記の高品質信号作成手段１に相当し，４ＵＴ遅延手段３０ｂは，原信号作成手段３０ａで作成された高品質信号を４フレーム分遅延させて出力するものであり，上記の送信手段３の一部分に相当する。 
【００３９】また，情報量削減手段３０ｃは，低品質信号を作成するものであり，上記の低品質信号作成手段２に相当するが，低品質信号作成の方法は，高品質信号の有する情報データ量を削減することによって行なわれている。そして，この削減を実施するための具体的手段は，例えば周波数帯域を半分にするディジタルフィルタを使用したり，１６ビットデータから下位８ビットデータを取り除くなどして，分解能を半分にするような手段が用いられる。 
【００４０】送信手段３０ｄは，４ＵＴ遅延手段３０ｂ，情報量削減手段３０ｃの各出力をデータ多重して無線送出するものであって，上記の送信手段３で説明したエンコード手段５ａ，５ｂ，多重化通信手段１０に相当する手段をそなえて構成されている。なお，それらの更なる説明とその詳細な図示は省略する。これにより，４ＵＴ遅延手段３０ｂから出力される４フレーム分だけ遅延を受けた高品質信号用チャネルＮ−ｃｈと，情報量削減手段３０ｃから出力される低品質信号群用チャネルＡ−ｃｈ（Ａ１−ｃｈ，…，Ａｎ−ｃｈ）とはデータ多重され，無線送出される。 
【００４１】一方，この図１（ａ）に示すディジタル放送用受信装置３１は，Ｎ−ｃｈ，Ａ−ｃｈ（Ａ１−ｃｈ，…，Ａｎ−ｃｈ）にて送られてきた複数系統の信号のうち，いずれかの信号を，切替選択して再生信号を出力するものであって，無線信号を受信して周波数変換・復調・エラー訂正・分離・デコードを行なう受信前段部３１ａと，正常受信／放送障害のモード判定を行なうモード判定手段３１ｂと，４ＵＴ遅延手段３１ｃ，選択手段３１ｄとからなる受信再生手段３１ｅとをそなえて構成されている。 
【００４２】ここで，受信前段部３１ａで行なわれる，無線信号の受信・周波数変換・復調・エラー訂正・分離・デコードについては，上述したディジタル放送用受信装置４１内にあるアンテナ１１ａ，周波数変換手段１１，復調手段１２，エラー訂正手段１３，分離手段１４，デコード手段１５ａ，１５ｂに対応する各手段が各処理を実行するので，それらの更なる説明とその詳細な図示は省略する。 
【００４３】また，モード判定手段３１ｂは，上述した受信機の受信再生手段１９内のモード判定手段１６に相当して，受信前段部３１ａから出力されるデータについて現在の受信状態が正常受信モードであるか瞬断等により障害受信モードであるかを判定するものである。そして，受信再生手段３１ｅは，モード判定手段３１ｂで正常受信モードであると判定されると，高品質信号を受信して再生する一方，モード判定手段３１ｂで放送障害モードであると判定されると，低品質信号を受信して再生するものであり，４ＵＴ遅延手段３１ｃは，上記の受信機の受信再生手段１９内の遅延手段１７に相当し，無線伝送されたデータのうちＡ−ｃｈ（Ａ１−ｃｈ，…，Ａｎ−ｃｈ）にて送出された低品質信号群を４フレーム分遅延させて出力するものであり，選択手段３１ｄは，同じ受信機の受信再生手段１９内の選択手段１８に相当し，Ｎ−ｃｈにて受信された高品質信号と４ＵＴ遅延手段３１ｃにて遅延を受けた低品質信号群とを切り替えて，片方のみを選択して出力するものである。」（段落【００３７】〜【００４３】） 
　 
（ウ） 
「【００５４】また，これにより，送信側の送信端において，Ｎ−ｃｈデータはＡ−ｃｈ（Ａ１−ｃｈ，…，Ａｎ−ｃｈ）に比べて時間が遅れていても，受信側の選択手段３１ｃに入力される手前においては，Ａ−ｃｈ（Ａ１−ｃｈ，…，Ａｎ−ｃｈ）データが同じ時間だけ遅延させられるので，結果的に同じ内容の放送データが選択手段３１ｃに入力され，選択して再生出力される。」（段落【００５４】） 
　 
（エ） 
「【００６５】こうして，所要伝送帯域が少なくて済み電波利用効率の向上を図れる利点がある。図１０は通常受信時の再生用データの選択方法を説明する図である。この図１０に示すように，送信側は，同一内容のデータＤX を送信時刻をずらして送信している。つまり，同一内容のデータＤXに注目すると，時刻Ｔ２０３においてＮ−ｃｈで高品質信号ＨＱとしてそのデータ内容ＤXが送信される前に，それより前の時刻において同一内容のデータＤXが複数回送信されている。そして受信側は，このデータの内容に関しては，高品質信号ＨＱを使って再生している。 
【００６６】この方法によると，受信側において，これらの同一内容のデータＤXは受信装置のメモリ（図示せず）内に複数，保持されている必要がある。この受信装置のメモリ負担の軽減のために，時間ダイバーシティによる再送の時間間隔は，小さくなるようにされている。なぜなら，そのずらされた時間間隔が大き過ぎると保持データが多くなってしまうからである。また，通常の時間ダイバーシティを用いたときのメモリ使用効率と，本実施形態によるそれとを比較すると，同一データを同一品質で複数個保持する方法に比べ，同一データであってそのデータ品質を落としたものを複数個保持する方法のほうが，メモリ使用効率がよくなる。なお，この場合，この時間間隔が短か過ぎると，伝送路上で同じバースト誤りに遭うことになるので，そのようにならないようその時間間隔は回線設計上考慮されている。 
【００６７】図１１（ａ）〜（ｃ）に受信障害が発生した時の再生用データの選択方法を示す。この図１１（ａ）に示すように，送信側は，Ｎ−ｃｈでデータ内容ＤX-1を有するデータ（符号２３−１を付したもの）と，データ内容ＤXを有するデータ（符号２３−２を付したもの）とを送信している。また，Ａ１−ｃｈでデータ内容ＤXを有するデータ（符号２３−３を付したもの）をも送信している。 
【００６８】そして，この図１１（ｂ）に示すように，このうち，高品質信号ＨＱは通常に受信されたが，受信障害により時刻Ｔ０にてＮ−ｃｈが受信不可となった場合，受信装置（ディジタル放送用受信装置３１）内のモード判定手段３１ｂからの信号により選択手段３１ｄが，Ｎ−ｃｈからＡ１−ｃｈへと切り替えを行ない，先行して受信されているＡ１−ｃｈのＬＱ１，或いはＡ２−ｃｈのＬＱ２，…，Ａｎ−ｃｈのＬＱｎを再生することで放送再生を継続する。すなわち，データ内容ＤX-1は高品質信号ＨＱから選択され（符号２４−１が付されたもの），データ内容ＤXは低品質信号ＬＱ１から選択される（符号２４−２が付されたもの）。」（段落【００６５】〜【００６８】） 
　 
（オ） 
「【００９５】そして，本発明のディジタル放送用送信・受信再生システムによれば，放送ディジタルデータを送信すべく，放送ディジタルデータを高品質信号として作成する高品質信号作成手段と，放送ディジタルデータと同一の放送ディジタルデータを高品質信号よりも品質の低い少なくとも１種類の低品質信号として作成する低品質信号作成手段と，高品質信号作成手段で作成された高品質信号および低品質信号作成手段で作成された低品質信号を時間をずらして送信する送信手段とをそなえてなるディジタル放送用送信装置が設けられるとともに，このディジタル放送用送信装置からの高品質信号および低品質信号を受信して再生すべく，正常受信モードであるか放送障害モードであるかを判定するモード判定手段と，このモード判定手段で正常受信モードであると判定されると，高品質信号を受信して再生する一方，モード判定手段で放送障害モードであると判定されると，低品質信号を受信して再生する受信再生手段とをそなえてなるので，これによって，マルチパス・フェージング等による受信障害を少なくでき，受信装置内部の電波受信部の構成を簡単化できる利点がある（請求項１１）。」（段落【００９５】） 
　 
　 
　これらの記載事項によると，刊行物には，次の発明（以下，「引用発明」という。）が記載されていると認められる。  
　 
「ディジタル放送用送信装置から時間をずらして送信されてきた高品質信号および少なくとも１種類の低品質信号を受信して再生しうるディジタル放送用受信再生装置であって， 
　 
ディジタル放送用送信装置は，高品質信号を作成する原信号作成手段と， 
１つの高品質信号から少なくとも１種類の低品質信号を作成する情報量削減手段と，高品質信号および低品質信号を時間をずらして送信する送信手段とをそなえて構成され， 
情報量削減手段の具体的手段は，例えば１６ビットデータから下位８ビットデータを取り除くなどして，分解能を半分にするような手段が用いられ， 
送信手段は，遅延手段（４），エンコード手段（５ａ，５ｂ），多重化通信手段をそなえて構成され， 
遅延手段（４）は，高品質信号を単位時間，例えば４フレーム時間分だけ遅延させて出力し， 
エンコード手段（５ａ）は，遅延手段（４）で遅延を受けた高品質信号データを圧縮してコード化し，エンコード手段（５ｂ）も同様に，情報量削減手段から出力される少なくとも１種類の低品質信号データを圧縮してコード化し， 
多重化通信手段は，エンコード手段（５ａ）の出力データとエンコード手段（５ｂ）の少なくとも１種類の出力データとを多重化して，エラー訂正符号を挿入し，その信号に変調を施して無線信号として送出するものであり， 
　 
ディジタル放送用受信装置は，周波数変換手段，復調手段，エラー訂正手段，分離手段，デコード手段（１５ａ，１５ｂ），モード判定手段，遅延手段（１７）と選択手段とをそなえて構成され， 
分離手段は，エラー訂正手段から出力される信号を高品質のデータ信号用チャネルＮ−ｃｈ，低品質のデータ信号群用チャネルＡ−ｃｈ（Ａ１−ｃｈ，…，Ａｎ−ｃｈ）の複数のチャネルとしてデマルチプレクス（分離）して出力し， 
デコード手段（１５ａ）は，Ｎ−ｃｈのデータ信号についてデコードを行ない，デコード手段（１５ｂ）は，Ａ−ｃｈ（Ａ１−ｃｈ，…，Ａｎ−ｃｈ）のデータ信号群についてデコードを行ない， 
遅延手段（１７）は，デコードされた信号のうち低品質信号を，単位時間，例えば４フレーム時間だけ遅延させるものであり， 
選択手段は，Ｎ−ｃｈにて受信された高品質信号と遅延手段（１７）にて遅延を受けた低品質信号群とを切り替えて，片方のみを選択して出力するものであり， 
モード判定手段において，エラー訂正手段にて訂正不可でかつデコード手段（１５ａあるいは１５ｂ）でのデコードが不可であった場合は，受信モードは放送障害モードと判定され，また，それ以外の場合は正常モードと判定され， 
正常モードの場合は，デコード手段（１５ａ）からの高品質信号が選択されて再生信号が出力され，放送障害モードの場合は，デコード手段（１５ｂ）からの低品質信号が，遅延手段（１７）において４フレーム分だけ遅延を受けてから選択されて再生信号が出力され， 
　 
送信側は，同一内容のデータＤXを送信時刻をずらして送信しており，同一内容のデータＤXに注目すると，Ｎ−ｃｈで高品質信号ＨＱとしてそのデータ内容ＤXが送信される前に，それより前の時刻において同一内容のデータＤXが複数回送信されており，各チャネルの送信時間間隔を瞬断時間以上にずらすことで，受信側において時間的にずらされた放送データのうちいずれかが受信され，中断することなく再生が行なえるようにし，また，マルチパス・フェージング等による受信障害を少なくでき， 
受信側において，これらの同一内容のデータＤXは受信装置のメモリ内に複数，保持されている必要があり， 
　 
例えば，高品質信号ＨＱは通常に受信されたが，受信障害によりＮ−ｃｈが受信不可となった場合，ディジタル放送用受信装置内のモード判定手段からの信号により選択手段が，Ｎ−ｃｈからＡ１−ｃｈへと切り替えを行ない，先行して受信されているＡ１−ｃｈのＬＱ１，或いはＡ２−ｃｈのＬＱ２，…，Ａｎ−ｃｈのＬＱｎを再生することで放送再生を継続し，すなわち，データ内容ＤX-1は高品質信号ＨＱから選択され，データ内容ＤX は低品質信号ＬＱ１から選択される， 
ディジタル放送用受信再生装置。」 
　 
　 
第３　対比 
　 
　本願発明と引用発明とを比較する。 
　
　引用発明のディジタル放送用送信装置は，高品質信号のみを遅延させ，低品質信号と時間をずらして送信するものであるから，引用発明の「高品質信号」および「低品質信号」は，それぞれ本願発明の「主信号」および「補助信号」に相当し，前記送信装置から送信される信号は「前記補助信号が前記主信号より先行する形式で時間的にずれてい」るといえる。
　
　本願発明の「高優先順位データ」及び「低優先順位データ」について検討すると，特許請求の範囲の請求項１４にも，発明の詳細な説明にも，高優先順位データ及び低優先順位データそのものを定義する記載は存在しないから，本願発明の「高優先順位データ」は，主信号と補助信号に共通して含まれるデータを意味し，同「低優先順位データ」は，主信号に含まれるとともに高優先順位データとは異なるデータを意味するものと解される。
　一方，引用発明では，原信号作成手段が作成した「高品質信号」から，情報量削減手段が下位ビットデータを取り除くなどして分解能を半分にすることで「低品質信号」を作成しており，こうして得られた「低品質信号」は，主信号（高品質信号）と補助信号（低品質信号）に共通して含まれるデータであるから，本願発明の「高優先順位データ」に相当する。 
　また引用発明の情報量削減手段により主信号から取り除かれたデータは，主信号に含まれるとともに高優先順位データとは異なるデータであるから，本願発明の「低優先順位データ」に相当するといえる。 
　
　引用発明の主信号（高品質信号）および補助信号（低品質信号）は，エンコード手段（５ａ，５ｂ）によりそれぞれコード化（すなわち符号化）され，多重化通信手段により多重化して送信されるものであるから，引用発明のディジタル放送用送信装置から送信される信号は，本願発明の「同期して符号化された主信号および補助信号の形式で送信される信号」と，「符号化された主信号および補助信号の形式で送信される信号」である点において一致する。 
　 
　引用発明の「ディジタル放送用受信装置」は，ディジタル放送用送信装置から時間をずらして送信された主信号（高品質信号）及び補助信号（低品質信号）を受信して再生しうるように構成されており，送信時間間隔を瞬断時間以上にずらすことで中断することなく再生を行うとともに，マルチパス・フェージング等による受信障害を少なくできるものであるから，本願発明の「同期して符号化された主信号および補助信号の形式で送信される信号の受信を改善する受信機」とは，「符号化された主信号および補助信号の形式で送信される信号の受信を改善する受信機」である点で一致する。 
　 
　本願発明の「補助信号を記憶するバッファ」は，発明の詳細な説明に記載されたいずれの手段と対応するのか明記されていないものの，仮にトランスポート・デマルチプレクサから補助ストリーム信号を出力する導線上に設けられ，送信機において先行させた補助信号の先行期間と一致する遅延を有する（段落【００２０】を参照。）「パケット・バッファ遅延回路１５０」と対応する場合，引用発明の「遅延手段（１７）」は，分離手段により分離された補助信号（低品質信号）を遅延させ，ディジタル放送用送信装置において先行させた補助信号の先行期間と一致する遅延（例えば４フレーム時間）を有するものであるから，本願発明の「補助信号を記憶するバッファ」に相当する。 
　また，本願発明の「補助信号を記憶するバッファ」が，仮に前記パケット・バッファ遅延回路以外のバッファを意味するとしても，引用発明のディジタル放送用受信装置は，主信号（高品質信号）及び補助信号（低品質信号）として送信時刻をずらして送信された同一内容のデータＤXを複数保持するメモリを備えており，当該メモリは，本願発明の「補助信号を記憶するバッファ」に相当する。 
　よって，引用発明は，本願発明の「補助信号を記憶するバッファ」を備えているといえる。 
　 
　引用発明の「モード判定手段」は，エラー訂正手段にて訂正不可でかつデコード手段（１５ａあるいは１５ｂ）でのデコードが不可であった場合は，受信モードは放送障害モードと判定し，また，それ以外の場合は正常モードと判定するものであるから，本願発明の「前記処理済みの主信号中の任意の望ましくない変化を検出する検出器」とは，「信号中の任意の望ましくない変化を検出する検出器」である点で共通する。 
　 
　引用発明の「選択手段」は，検出器（モード判定手段）からの信号により，正常モードの場合は主信号（高品質信号）を選択し，放送障害モードの場合は補助信号（低品質信号）を選択し，片方のみを出力するものであるから，検出器に接続されているといえ，また，データ内容ＤX-1を含む主信号（高品質信号ＨＱ）が通常（正常）に受信された場合には，データ内容ＤX-1は主信号から選択して再生し，次のデータ内容ＤXを含む主信号が受信障害により受信不可となった場合，先行して受信されている補助信号（低品質信号ＬＱ１）からデータ内容ＤXを選択して再生するものであるから，引用発明の「選択手段」と，本願発明の「前記主信号の任意の望ましくない変化部分を，前記記憶した補助信号の前記高優先順位データの対応部分で置換する，前記検出器に接続された手段」とは，「前記」「信号の任意の望ましくない変化部分」に代えて，「前記記憶した補助信号の前記高優先順位データの対応部分」を選択「する，前記検出器に接続された手段」である点において，一致する。 
　 
　 
　したがって，本願発明と引用発明は，以下の点において一致ないし相違する。  
　 
＜一致点＞  
「符号化された主信号および補助信号の形式で送信される信号の受信を改善する受信機であって， 
　前記信号が，前記補助信号が前記主信号より先行する形式で時間的にずれていて， 
　前記主信号が高優先順位データおよび低優先順位データを含み，前記補助信号が高優先順位データを含んでおり， 
　前記信号の受信を改善する受信機が， 
　前記補助信号を記憶するバッファと， 
信号中の任意の望ましくない変化を検出する検出器と 
　前記信号の任意の望ましくない変化部分に代えて，前記記憶した補助信号の前記高優先順位データの対応部分を選択する，前記検出器に接続された手段と， 
を含む，前記信号の受信を改善する受信機。」である点。 
　 
　 
＜相違点１＞  
　主信号と補助信号の符号化について，本願発明では「同期して」行われるのに対して，引用発明では同期して行われるとは記載されていない点。 
　 
＜相違点２＞  
　本願発明の受信機は，「前記主信号を再生する態様で前記主信号を処理する信号プロセッサ」を備え，検出器が任意の望ましくない変化を検出する信号は「前記処理済みの主」信号であるのに対して，引用発明には，受信機は，前記主信号を再生する態様で前記主信号を処理する信号プロセッサを備え，検出器が任意の望ましくない変化を検出する信号は前記処理済みの主信号であるとは記載されていない点。 
　 
＜相違点３＞  
　検出器に接続された手段について，本願発明のものは，前記主信号の任意の望ましくない変化部分を，前記記憶した補助信号の前記高優先順位データの対応部分で「置換」するのに対して，引用発明には，前記主信号の任意の望ましくない変化部分を，前記記憶した補助信号の前記高優先順位データの対応部分で置換するとは記載されていない点。 
　 
　 
第４　当審の判断  
　 
＜相違点１について＞  
　 本願発明の「同期して」という用語が，符号化のどのような時間的関係を意味するのかについては，特許請求の範囲の請求項１４にも，発明の詳細な説明にも記載されていない。 
　そして，本願発明の「同期して」という用語が，仮に，主信号と補助信号の対応部分（実質的に同じ内容を表す部分）が，一定時間ずれたタイミングで符号化されることを意味するのであれば，主信号（高品質信号）と補助信号（低品質信号）を，遅延時間分だけずらしたタイミングで符号化（コード化）する引用発明は，本願発明と実質的に相違しない。 
　また，前記「同期して」という用語が，仮に前記対応部分が同時に符号化されることを意味するのだとしても，引用発明の遅延手段（４）をエンコード手段（５ａ）の前後どちらに設けるかは，当業者が適宜選択し得る設計的事項に過ぎず，引用発明において，主信号と補助信号の対応部分を同時に符号化し，その後主信号のみを遅延させることは，当業者が容易になし得たことである。 
　 
＜相違点２について＞  
　初めに本願発明の「前記主信号を再生する態様で前記主信号を処理する信号プロセッサ」について検討すると，本願発明の「前記処理済みの主信号中の任意の望ましくない変化を検出する検出器」は，発明の詳細な説明に記載された誤り検出回路１２１に対応すると解され，前記信号プロセッサは，前記誤り検出回路よりも前段に設けられているはずであるが，前記誤り検出器よりも前段に設けられた回路手段のいずれが，前記信号プロセッサと対応するのかは，請求項１４にも，発明の詳細な説明にも明記されていない。 
　しかしながら，本願明細書の段落【００１９】，【００２０】，及び【図２】によれば，発明の詳細な説明には，ＶＳＢ受信機に入来した残留側波帯（ＶＳＢ）信号が，ミキサ１００，低域フィルタ１０２，アナログ・ディジタル変換器１０３，ミキサ１０４，補間器１０７，等化器１１０，順方向誤り訂正回路１２０を介して，又は，さらにトランスポート・デマルチプレクサ１３０を介して，誤り検出回路１２１に供給されることが記載されているから，本願発明の「前記主信号を再生する態様で前記主信号を処理する信号プロセッサ」は実質的に，上記ミキサ１００〜トランスポート・デマルチプレクサ１３０のうちの少なくとも１つに対応するものと解される。 
　一方，引用発明においては，ディジタル放送用送信装置から送信されてくる信号の変調方式は特定されていないものの，ディジタル放送用受信装置の検出器（モード判定手段）の前段には，周波数変換手段，復調回路，エラー訂正手段，分離手段，デコード手段，などが設けられている。 
　そして，ＶＳＢ受信機そのものは周知（例えば，米国特許第５８７２８１５号明細書の第５欄第６５行〜第７欄第３９行，第１図，国際公開第９９／２３８１５号の第３ページ第２行〜第６ページ第３０行，第１図，を参照。）であるから，引用発明の検出器の前段に設けられた周波数変換手段，復調回路，エラー訂正手段，デコード手段などに代えて，周知のＶＳＢ受信機が通常備える回路手段，すなわちミキサ，低域フィルタ，アナログ・ディジタル変換器，補間器，等化器，順方向誤り訂正回路などを設け，これら回路手段の少なくとも１つを「前記主信号を再生する態様で前記主信号を処理する信号プロセッサ」とし，検出器が任意の望ましくない変化を検出する信号を「前記処理済みの主」信号とすることは，当業者が容易になし得たことである。 
　 
＜相違点３について＞  
　本願発明の「前記主信号の任意の望ましくない変化部分を，前記記憶した補助信号の前記高優先順位データの対応部分で置換」する処理の具体的内容について，請求項１４には記載されていないものの，発明の詳細な説明の段落【００２１】には，「通常，ストリーム選択回路１４０は，主ストリーム信号をＭＰＥＧデコーダ１６０に送るように制御される。（中略）主ストリーム信号が使用不可能になった場合には，ストリーム選択回路１４０は，バッファリングしてある補助ストリーム信号をＭＰＥＧデコーダ１６０に送るように制御される。これは，（中略）誤り検出回路１２１により判定される。」と記載されているから，本願発明の前記置換処理とは，実質的には，通常時の主ストリーム信号に代えて，障害時には補助ストリーム信号を選択して出力することを意味するものと解される。 
　よって，相違点３は単なる表現上の相違点であって実質的な相違点ではない。 
　 
　 
　そして，本願発明のように構成したことによる効果も引用発明及び周知技術から予測できる程度のものである。  
　  
　  
第５　むすび  
　  
　以上のとおり，本願発明は，引用発明及び周知技術に基づいて当業者が容易に発明をすることができたものであるから，特許法２９条２項の規定により特許を受けることができない。  
　  
　したがって，本願は他の請求項について論及するまでもなく，拒絶すべきものである。  
　  
　よって，結論のとおり審決する。